(57)【要約】      （修正有）【課題】工具を用いず自由にレンズを交換できる眼鏡を提供する。【解決手段】リム１に予め成形したレンズ２やレンズケース３に入れたレンズ２を接着、勘合、ねじ止め、挟み付けるなどして取り付ける。テンプルとモダンを別々の穴に重ならないよう調整部に差し込み固定する。調整部を頬骨の上側で頬に当て、角膜頂点間距離が変わらないようにする。【選択図】図１
2018018044.tif 000002
【特許請求の範囲】
【請求項１】
リムの任意の位置に予め成形してあるレンズを装着できる事を特徴とする眼鏡。
【請求項２】
テンプル及びモダンを調整部の別々の穴に差し込み長さを調整出来る事を特徴とする請求項１に記載の眼鏡。
【請求項３】
調整部を頬に当てて装着する事を特徴とする請求項１〜２の何れかに記載の眼鏡。
【請求項４】
レンズを複数装着した事を特徴とする請求項１〜３の何れかに記載した眼鏡。
【請求項５】
レンズの周り補強した事を特徴とする請求項１〜４の何れかに記載の眼鏡。
【発明の詳細な説明】
【技術分野】
【０００１】  本発明は眼鏡のレンズを自由に交換でき、位置調整が容易な眼鏡に関するものである。
【背景技術】
【０００２】  従来の眼鏡は度数を調べる    或いはレンズをレンズ固定用の溝に合わせる為、視力測定やレンズを眼鏡に合わせて加工するが、専門家が必要であり装置も必要である。そしてメガネが出来上がるまで非常に時間がかかる。これだと発展途上国や災害時にメガネを直ぐには誂えられない。また非常に時間とコストが掛かる。リムにはレンズを嵌め込むための溝が必要であり、製造が難しい。
【先行技術文献】
【特許文献】
【特許文献】特開２０１３−２０２１９
【０００３】
【発明の概要】
【発明が解決しようとする課題】
【０００４】解決しようとする問題点は、種々の形をしたレンズ２を工場で作り、レンズ２をそのまま或いはケース３に入れて簡単にリム１に取り付けられ、レンズ２が交換でき、且つ眼球の位置に会わせてレンズ２が動かせ固定出来るメガネを提供することである。
【課題を解決するための手段】
【０００５】請求項１の手段として、リム１にスリット４を設けそこにレンズ２を差し込む。或いはリム１にレンズ２を張り付ける又は重ねてネジなどで固定する。スリット４は左右に分割しても良い。
レンズ２は左右、上下にスライドできるようにする
固定するには嵌め込み、ネジ止め、挟み付け、接着，嵌合等色々考えられる。弾性を持つクリップで挟み付けると、簡単にレンズ２の交換移動ができる。
視力は左右が異なる場合が多いがそれぞれ選択できるとうにする。レンズ２は左右、上下に動かせるようにし、瞳孔の位置にきちんと合わせる事ができるようにする。
レンズ２は薄くて脆いのでレンズケース３に挿入してリム１に取り付ける。
リム１にスリット４を設けレンズ２を装着する。レンズ２の補強の為レンズケース３にレンズ２を装着しても良い。
リム１にレンズ２或いはレンズケース３を固定するためにクリップ５で挟み付けても良いしネジ止め，勘合、接着など考えられる。
これまでのメガネと違和感を無くすために従来のリム２の形を踏襲し枠内にレンズ２を装着しても良い。
またネジは貫通しない長さの物を使うと美観を阻害しない。【０００６】請求項２の手段としてテンプル７とモダン９を別々の穴に差し込めるようにする。【０００７】請求項３の手段として調整部８を頬骨の上側に当てる。【０００８】請求項４の手段としてリム１にレンズ２を前後に２枚取り付ける。【０００９】請求項５の手段としてレンズ２の外周を分厚くする。
【発明の効果】
【００１０】レンズ２を最適な場所にセット出来、誰でも光学中心に合わせる事が出来、見え方がさらに快適になる。レンズ２は所定の形に成っており、リムの溝に合わせて切削して形を合わせる必要が無い。一つのフレームに異なった形のレンズ２を取りつける事が出来る。
レンズ２の度数が合わなくなったりした時、左右別々に自分で交換できるので便利である。又テンプル７の長さが調整出来るようにするとレンズ２の度数がピッタリでない場合も、テンプル７をスライドさせ、長さを調整出来るので微妙な見え方の調整が出来る。
通常薄くて脆いレンズ２をレンズケース３に装着使用すると強度が増し取り扱いが容易になる。通常視力矯正用メガネは、光学中心や視力に合わせレンズを選び、その後フレームに合わせてカットしているが、複数用意したレンズ２の中から最適な度数のレンズ２を選べば検眼器やレンズ切削機が無くても、ベストなメガネが出来る。度付サングラスも簡単に作ることができる。
大きな丸いレンズ１０をリムの形に合うように加工する必要が無くなり、すぐに眼鏡を使用できる。リム１にレンズ２を嵌め込むための溝が不要であり、リム１の構造が簡単である。
レンズ２は適当な形に作られているので加工の必要がない。又大きな円でレンズ１０を作るより材料費も少なくて済む。
度付サングラスの場合、非常に高価となりレンズが大きく湾曲しているので見え方が歪み易い。一方にサングラス用レンズ、反対側に視力矯正用レンズを２取り付けると簡単に度付サングラスに出来る。
またリム１にレンズ２を取りつける溝が必要ないので製造が簡単で強度もある。
リム１にレンズ２を２枚、前と後ろ側に取付けると拡大用眼鏡となる。
既存の溝の有るリムにレンズを嵌め込む事も考えられる。【００１１】請求項２の発明によればテンプル７の長さを連続的に変化させる事ができ、微妙に角膜頂点距離が変えられる。つまり焦点を変える事が出来る。【００１２】請求項３の発明によれば調整部８が頬に当たり固定されるのでメガネを装着したとき角膜頂点距離が変わりにくい。【００１３】請求項４の発明によればレンズ２を２枚を前後に組み合わせる事により拡大用眼鏡、或いは度付サングラスを簡単に作れる。【００１４】請求項５の発明によればレンズ２の周辺が補強されているので壊れにくい。又色々な形のレンズ２を用意すれば好みに合わせてレンズ２を選択し交換できる。
【図面の簡単な説明】
【００１５】
【図１】図１は左はリム１にレンズ２を直接取り付けてあり  右はレンズケース３に入れて取り付けてある。
【図２】図２はレンズケース３をリム１の前後に取付けたもの。
【図３】図３は  レンズケース３をリム１の片側に取付けたもの。
【図４】図４はリム１にレンズ２を嵌め込む為のスリット４を設けレンズ２を取り付けたもの。図である。
【図５】図５はレンズ２をレンズケース３に取り付けてある。
【図６】図６はレンズ２をリム１に固定する為のクリップ５の例を示す図である。
【図７】図７はリム１にクリップ５上側からを取り付けた面である。
【図８】図８はこれまでのメガネと違和感が無いように四方にリム１を残し  任意の位置にレンズ２を取り付けた図である。
【図９】図９はリム１にレンズ２を取り付けテンプル７に調整部８及びモダン９を取り付けた図である。
【図１０】図１０は通常のレンズを示す図である。
【図１１】図１１はレンズの外周を分厚く成型したものである。
【図１２】図１１はレンズケース３の断面図でありレンズ２の無い部分でリム１に嵌合させて取り付ける。
【発明を実施するための形態】
【００１６】第１の実施の形態を図１で示すとテンプル１にレンズ２およびレンズケース３に入れたレンズ２を取り付ける。
しておく。
【００１７】第２の発明の実施の形態を図９で示すとリム１にレンズ２を取り付け、テンプル７を接続し先端側を調整部８に差し込み、反対側からモダン９を差し込み夫々固定する。
【００１８】第３の発明の実施の形態は調整部８を頬骨の上側で頬に接触させ動かないようにする。
【００１９】
【実施例】
【００２０】請求項１はリム１に予め望む形に加工されたレンズ２やレンズケース３を別々の位置に取付ける。【００２１】請求項２は調整部８に差し込むテンプル７及びモダン９の差し込み量を変える事によりレンズ２までの距離を、連続的に変え、焦点を変えるる事が出来、これまでに無いほど目に合ったメガネが出来る。【００２２】調整部８を顔に当てるので前後のずれが起きにくく、より安定角膜頂点間距離を保てる。
テンプル７とモダン９は、調整部のそれぞれの穴の中で少し湾曲させる事により簡単に固定できる。【００２３】
【産業上の利用可能性】
【００２４】眼鏡のレンズ２は予め所定の形に成っているので現場でレンズを加工する必要がない。検眼器が無くてもレンズ２を直接リム１に当てて見え方をチェックできる。きる。
【符号の説明】
【００２５】１  リム  ２  レンズ  ３  レンズケース  ４  スリット  ５  クリップ
６  クリップ溝  ７  テンプル  ８  調整部  ９  モダン  １０  普通のレンズ
【図１】
2018018044.tif 000003
【図２】
2018018044.tif 000004
【図３】
2018018044.tif 000005
【図４】
2018018044.tif 000006
【図５】
2018018044.tif 000007
【図６】
2018018044.tif 000008
【図７】
2018018044.tif 000009
【図８】
2018018044.tif 000010
【図９】
2018018044.tif 000011
【図１０】
2018018044.tif 000012
【図１１】
2018018044.tif 000013
【図１２】
2018018044.tif 000014